(57)【要約】      （修正有）【課題】海苔養殖用の網のみならずロープ、伸子棒、支柱、ヴイ等の各種漁業用資材の洗浄装置を提供する。【解決手段】漁業用資材を載置する載置面３１を有する載置部３と、前期載置面３１の上方に前期載置面３１の略全面に対して洗浄液を噴射可能に配設された洗浄ノズル２と、前期載置面３１に配設されポンプの圧力により前期洗浄ノズル２から噴射された洗浄液を排水する排水口３２とから構成される漁業用資材の洗浄装置１。  【選択図】図２
2007330117.tif 000002
【特許請求の範囲】
【請求項１】
陸上載置式の漁業用資材の洗浄装置であって、
漁業用資材を載置する載置面を有する略容器状の載置部と、前記載置面の上方に当該載置面の略全面に対して洗浄液を噴射可能に配設された洗浄ノズルと、前記載置部に配設され、ポンプの圧力により洗浄ノズルから噴射された洗浄液を排水する排水口とを含むことを特徴とする漁業用資材の洗浄装置。
【請求項２】
前記排水口を介して排水される洗浄液を貯水する貯水槽部を有し、前記貯水槽部には、貯水槽部に貯水された洗浄液を排水するとともに、排水処理装置と配管可能な排水部を備えていることを特徴とする請求項１に記載の漁業用資材の洗浄装置。
【請求項３】
前記洗浄ノズルを載置面の略全面に亘る範囲で移動可能に配設していることを特徴とする請求項１又は請求項２に記載の漁業用資材の洗浄装置。
【請求項４】
前記載置面の一方向に沿って配列した洗浄ノズルを同方向又は他方向に沿って移動可能に配設していることを特徴とする請求項３に記載の漁業用資材の洗浄装置。
【請求項５】
前記載置部が洗浄ノズル下を移動可能に配設されていることを特徴とする請求項１乃至請求項４いずれか１項に記載の漁業用資材の洗浄装置。
【請求項６】
洗浄ノズルが前記載置面の一方向に沿って移動不可能に配列されていることを特徴とする請求項５に記載の漁業用資材の洗浄装置。
【請求項７】
前記洗浄ノズルを揺動可能に配設していることを特徴とする請求項２乃至請求項６いずれか１項に記載の漁業用資材の洗浄装置。
【請求項８】
載置面に漁業用資材を保持する保持手段を備えていることを特徴とする請求項１乃至請求項７いずれか１項に記載の漁業用資材の洗浄装置。
【発明の詳細な説明】
【技術分野】
【０００１】
本発明は、海苔等の海藻類養殖用網、漁業用の各種網、魚類等の養殖用網、ロープ、伸子棒、支柱、ヴイ等の各種漁業用資材を洗浄する洗浄装置に関する。
【背景技術】
【０００２】
本発明に関連する先行技術文献情報として、例えば、下記の特許文献１が存在する。
【特許文献１】特開２００２-３２０４１８号公報
【発明の開示】
【発明が解決しようとする課題】
【０００３】
ところで、従来の海苔等の海藻類養殖用網、漁業用の各種網、魚類等の養殖用網、ロープ、伸子棒、支柱、ヴイ等の各種漁業用資材の洗浄は、当該漁業用資材を陸揚げして行っている。
この陸揚げ後の洗浄においては、前記網やロープについては、網用の洗濯機を用いて洗浄し、伸子棒、支柱、ヴイ等については、ブラシやたわしを用いて手作業により洗浄している。
しかしながら、付着物が水を含んで漁業用資材に対してこびりついているため、陸揚げ後に直ちに洗浄しても付着物が落ちにくく、その洗浄作業が確実に行われないことが多く見受けられる。
そのため、ほとんどの場合、漁業用資材の陸揚げ後、長期間野積みして、付着物を腐敗させたり乾燥させたりすることで、付着物を落としやすくしているが、この場合、長期間に亘って野積みすることから、腐敗臭やハエ等が発生し、周辺環境を損ねてしまう要因となっていた。
又、陸上での洗浄作業では、使用した洗浄液をそのまま河川に排水しているのが現状であり、この掛け流された洗浄液や洗浄液に含まれる付着物が河川に対する汚染の要因ともなり得る。
【０００４】
そこで、最も付着物が多く付着して落としにくい網を洗浄する手段として前記特許文献１に記載の発明が提案されている。
この特許文献１に記載の発明は、船上に網を洗浄する洗浄装置を備え、その船上で網を洗浄するようにしたものであり、この発明によれば、網を陸揚げする必要がない上に、付着物を腐敗させることもないので、前記した周辺環境への悪影響や河川の汚染を防ぐことができる。
しかしながら、前記特許文献１に記載されている発明は、船上に搭載された洗浄装置により海苔養殖用の網を洗浄する洗浄装置であって、この網以外のロープ、伸子棒、支柱、ヴイ等の各種漁業用資材を洗浄することが想定されていない。
又、特許文献１に記載されている発明は、網を取外して回収しながら、船上に搭載された洗浄装置により洗浄するものであるが、回収される網の枚数は、数百枚に達するため、その網の取外し作業や、ロープ、伸子棒、支柱、ヴイ等の取外し回収作業が極めて重労働となる上、相当な時間も要すると思われる。
更に、特許文献１に記載の発明では、船上に設けられる洗浄装置におけるポンプ、洗浄液タンク、エンジン等の総重量が数百ｋｇにおよぶため、一般の海苔収穫用の船舶にこの洗浄装置を搭載することは、その船舶の性能からきわめて難しいものであると思われる。
【０００５】
本発明は、海苔養殖用の網のみならずロープ、伸子棒、支柱、ヴイ等の各種漁業用資材を洗浄するとともに、船舶を使用せず効率的に洗浄し、且つ周辺環境への悪影響の防止することを課題とし、この課題を解決した漁業用資材洗浄装置の提供を目的とする。
【課題を解決するための手段】
【０００６】
前記目的を達成するため、本発明が採用した第１発明は、陸上載置式の漁業用資材の洗浄装置であって、
漁業用資材を載置する載置面を有する略容器状の載置部と、前記載置面の上方に当該載置面の略全面に対して洗浄液を噴射可能に配設された洗浄ノズルと、前記載置部に配設され、ポンプの圧力により洗浄ノズルから噴射された洗浄液を排水する排水口とを含むことを特徴とする漁業用資材の洗浄装置である。
【０００７】
本発明でいう洗浄液は、洗浄剤水溶液や消毒剤水溶液、又はこれらの水溶液を混合した液体、あるいは、真水、海水等であり、これらの洗浄液を洗浄ノズルからポンプの圧力により勢いよく噴射して漁業用資材に付着した付着物を剥がし落とす。
又、本発明でいう排水口は、前記洗浄ノズルから噴射された洗浄液を排水可能な形態であればよく、例えば、載置面に、少なくとも、漁業用資材が通過不可能な大きさとし、これを一個又は複数個開口した形態が挙げられる。
複数個開口した形態の場合、パンチングメタル状とする形態ものやスリット状の開口を並列させた形態等が挙げられる。
前記排水口の大きさは、前記洗浄ノズルから噴射された洗浄液のみを排水可能な大きさの場合、洗浄後の載置面に剥がれ落ちた付着物は載置面に残るので、載置部から漁業用資材を取り出した後に残った付着物を取り除けばよく、又、比較的小さい付着物であれば洗浄液とともに通過したり、噴射圧力によって強制的に通過したりする。
又、排水口の大きさが、付着物が通過可能な大きさの場合、洗浄液とともに通過し、付着物は載置面に残らない。
又、前記洗浄ノズルから噴射された洗浄液の排水を行う手段として、例えば、第２発明のように、前記排水口を介して排水される洗浄液を貯水する貯水槽部を有し、前記貯水槽部には、貯水槽部に貯水された洗浄液を排水又は排水処理装置に配管可能な排水部を備えていることを特徴とする漁業用資材の洗浄装置が挙げられる。
この場合、前記貯水槽部に排水された洗浄液及び付着物は、排水部から排水され又は排水部から配管を介して排水処理装置へと排水される。
貯水槽部からの排水は、ポンプを用いて強制的に行うことで確実に排水できる。
【０００８】
前記洗浄ノズルは、前記載置面の略全面に洗浄液を噴射可能な形態であればよく、例えば、載置面の略全面に洗浄液を噴射可能な複数の洗浄ノズルを配設する形態が挙げられるが、この場合、載置面の面積に応じた個数の洗浄ノズルが必要になるため、載置面の面積によっては、数十個以上の洗浄ノズルを要し、夫々の洗浄ノズルへの配管やメンテナンス等が面倒である。
そのため、洗浄ノズルの数を削減した上で、前記載置面の略全面に洗浄液を噴射可能にするという観点から、第３発明のように、洗浄ノズルを載置面の略全面に亘る範囲で移動可能に配設することが好ましい。
第３発明の具体的な形態として、第４発明のように、載置面の一方向に沿って配列した洗浄ノズルを同方向又は他方向に沿って移動可能に配設した形態が例示できる。
又、洗浄ノズルの数を削減するための他の形態として第５発明では、前記載置部が洗浄ノズル下を移動可能に配設されている形態にした。
又、この場合、第６発明のように、洗浄ノズルを前記載置面の一方向に沿って移動不可能に配列してもよい。
又、更に洗浄ノズルの個数を削減するという観点から、第７発明のように、洗浄ノズルを揺動可能に配設した形態が例示できる。
【０００９】
又、載置面に載置される漁業用資材を洗浄ノズルからの洗浄液噴射による噴射圧でずれたり跳ね上がったりしないようにするという観点から、第８発明のように、載置面に漁業用資材を保持する保持手段を備えることが好ましい。
【発明の効果】
【００１０】
本発明によれば、下記の優れた効果が期待できる。
第１発明によれば、海苔養殖用の網のみならずロープ、伸子棒、支柱、ヴイ等の各種漁業用資材を洗浄するとともに、船舶を使用せず効率的に洗浄し、且つ周辺環境への悪影響の防止できる。
又、第２発明によれば、前記洗浄ノズルから噴射された洗浄液を排水することができる。
又、第３発明によれば、洗浄ノズルの数を削減した上で、前記載置面の略全面に洗浄液を噴射できる。
又、第４発明乃至第６発明によれば、洗浄ノズルの数を削減した上で、前記載置面の略全面に洗浄液を噴射できる構成を具体的に提供できる。
又、第７発明によれば、洗浄ノズルの個数をより少なくすることができる。
又、第８発明によれば、載置面に載置される漁業用資材を洗浄ノズルからの洗浄液噴射による噴射圧でずれたり跳ね上がったりしないようにできる。
【発明を実施するための最良の形態】
【００１１】
以下、本発明に係る漁業用資材の洗浄装置を実施するための最良の形態を図面に基づいて説明する。
本形態で例示する洗浄装置１は、図１に示すように、洗浄液タンクＴの洗浄液がポンプＰにより圧送され、後述の洗浄ノズル２から勢いよく噴射させて漁業用資材を洗浄し、洗浄後の洗浄液と剥がれ落ちた付着物を排水処理装置Ａに排水する洗浄システムＳに用いられる形態として説明する。
【００１２】
洗浄装置１は、図１〜図４に示すように、漁業用資材を載置する載置面３１を備えた載置部３と、載置部３の上方に設けられた前述の洗浄ノズル２と、載置部３の下方に設けられた貯水槽部４と、載置部３及び貯水槽部４とを支持する支持脚５とから構成されている。
【００１３】
前記洗浄ノズル２は、載置部３の長手方向に沿って並列状に並べられた４個のノズル部２１を備え、これらノズル部２１は、前記ポンプＰを介して圧送される洗浄液を、夫々のノズル部に振り分けるように配管された配管部２２により一体に連結されている。
又、洗浄ノズル２は、載置面３１の長手方向に沿いその全長に亘って往復動可能にされるとともに、載置面３１の短手方向の全長亘って洗浄液が噴射される範囲に揺動可能に支持され、洗浄液の噴射時において往復動及び揺動することにより載置面３１の全面に洗浄液を作用させるようにしている。
又、前記配管部２２は、洗浄ノズル２の往復動に伴って伸縮するようにされている。
【００１４】
前記載置部３は、略直方体形とする容器状に形成され、底部全面を漁業用資材が載置される載置面３１としている。
前記載置面３１には、略パンチングメタル状の多数の開口からなる排水口３２が形成されており、当該排水口３２から前記洗浄ノズル２から噴射された洗浄液を排水するようにしている。
又、前記排水口３２は、漁業用資材が通過しない程度、且つ漁業用資材から剥がれ落ちた付着物が通過する程度の直径とする円形として開口され、前記洗浄液とともに付着物も排水するようにしている。
又、載置面３１には、載置される漁業用資材を載置面３１上に保持する保持手段６が設けられている。
本形態の保持手段６は、載置面３１に対して長手方向と短手方向とに亘って多数突設された突起状部６１と、載置面３１の短手方向に沿う固定ベルト６２から構成されている。
前記構成の保持手段６によれば、網、ロープ、伸子棒、支柱等の漁業用資材を前記突起状部６１の間に挿入することで、突起状部６１が挿入された漁業用資材を挟持状に保持し、ヴイのような漁業用資材においては前記固定ベルト６２で保持することができる。
尚、本形態の固定ベルト６２は、ゴム材製のものであり、当該ゴム材の伸縮性を利用して漁業用資材の保持を行うようにしたものであるが、本発明は、例示したゴム材製のもの以外の締め付けベルト状のものであってもよい。
【００１５】
前記貯水槽部４は、正面視略逆三角形状を呈するとともに、平面視において前記載置面３１と同一形状とする略容器状に形成され、前記載置部３に対して載置面３１の直下に位置させた状態で連結されている。
又、貯水槽部４における正面視略逆三角形状の頂点部分に相当する側壁には、前記排水処理装置Ａと配管される排水部４１が設けられている。
前記排水部４１には、開閉バルブ４１Ａが設けられており、この開閉バルブ４１Ａと排水処理部Ａとを配管部４２により一体に連結されている。
【００１６】
前記形態の洗浄システムＳは、洗浄装置１が、前記洗浄ノズル２における配管部２２と前記洗浄液タンクＴとがポンプＰを介して配管され、当該ポンプＰの圧力により圧送される洗浄液タンクＴの洗浄液を洗浄ノズル２から勢いよく噴射し、当該洗浄ノズル２の前記往復動及び揺動することによって、載置面３１に載置保持された漁業用資材に付着した付着物を剥がし落とすように洗浄する。
洗浄後の洗浄液及び剥がし落とされた付着物は、前記排水口３２を通過して前記貯水槽部４に排水される。
前記貯水槽部４に貯められた洗浄液と付着物は、排水処理装置Ａに備えられたポンプ（図示せず）によって吸い取られて排水処理装置Ａに排水され、当該洗浄液と付着物は、排水処理装置Ａで処理されて廃棄される。  
【００１７】
したがって、本形態の洗浄装置１は、網のみならずロープ、伸子棒、支柱、ヴイ等の各種漁業用資材を洗浄でき、しかも、船舶を使用せず効率的に洗浄し、且つ周辺環境への悪影響の防止ができる。
その上、洗浄液を４こという少ない個数のノズル部２１からなる洗浄ノズル２で、漁業用資材を洗浄でき、しかも、載置面３１に載置される漁業用資材を洗浄ノズル２からの洗浄液噴射による噴射圧でずれたり跳ね上がったりしないように保持できる。
【００１８】
なお、本発明は、例示した実施の形態に限定するものでは無く、特許請求の範囲の各項に記載された内容から逸脱しない範囲の構成による実施が可能である。
例えば、前記洗浄装置に対して排水処理装置を配管せず、洗浄装置における貯水槽部に洗浄液と付着物とが貯まった時点で、当該洗浄液と付着物とを排水部から容器に排水し、容器を運搬して容器内の洗浄液と付着物とを排水処理装置に排水するようにしてもよい（図示せず）。
又、前記洗浄ノズルは、そのノズル部の個数を例示した４個から増減してもよいし、洗浄ノズルの往復動方向及び揺動方向を例示した方向とは異なる方向にしてもよい（図示せず）。
又、例示した形態は、洗浄ノズルが移動する形態のものであるが、本発明では、前記載置部を移動させるようにした形態も含や、更に、洗浄ノズルを移動不可能にして前記載置部を移動させるようにした形態も含む（図示せず）。
【図面の簡単な説明】
【００１９】
【図１】本発明に係る洗浄装置を用いた洗浄装置の模式図。
【図２】本発明に係る洗浄装置の切欠正面図。
【図３】図１の平面図。
【図４】図１の切欠側面図。
【符号の説明】
【００２０】
１：洗浄装置
２：洗浄ノズル
３：載置部
４：貯水槽部
６：保持手段
２１：ノズル部
２２：配管部
３１：載置面
４１：排水部
４１Ａ：開閉バルブ
６１：突起状部
６２：固定ベルト
【図１】
2007330117.tif 000003
【図２】
2007330117.tif 000004
【図３】
2007330117.tif 000005
【図４】
2007330117.tif 000006